(57)【要約】【課題】  簡単な構造に係わらず、箱本体への取付作業が容易なうえ規格の異なる箱本体にも使用できる扉用鎖錠装置の受部材を提供する。【解決手段】  箱本体２の開口部２１を施蓋する扉３に取り付けたハンドル４の操作により鎖錠・解錠を行う鎖錠部４１が係脱する受部材１を棒状に形成してその設けた基端を箱本体２の開口部２１の周縁に立ち上げた枠部２２に取り付ける。【選択図】  図１
2005273313.tif 000002
【特許請求の範囲】
【請求項１】
箱本体の開口部を施蓋する扉に取り付けたハンドルの操作により鎖錠・解錠を行う鎖錠部が係脱する受部材を棒状に形成してその基端を箱本体の開口部の周縁に立ち上げた枠部に取り付けたことを特徴とする扉用鎖錠装置の受部材。
【請求項２】
受部材の基端面に固定部材嵌合用の穴部を設け、該穴部に箱本体の開口部の周縁に立ち上げた枠部に設けた取付孔から挿通した固定部材を嵌合して受部材をその基端をもって取り付けた請求項１に記載の扉用鎖錠装置の受部材。
【発明の詳細な説明】
【技術分野】
【０００１】
本発明は、電気・電子機器収納箱の扉を鎖錠するための扉用鎖錠装置の受部材に関するものである。
【背景技術】
【０００２】
ハンドルを操作することにより鎖錠部が扉の側面と平行に回動する扉用鎖錠装置の箱本体に設けた受部材としては、例えば、リンク機構を有したクランプ式の鎖錠装置では、幅広の略コ字状に形成した係止部材を、箱本体の開口部の周縁平面部と該周縁平面部より立設した枠部とに、共に当接するように溶接又はネジ止めしたものが使用されている。（特許文献１）
【０００３】
ところが、前記鎖錠装置は鎖錠部の回動距離が一定であるが、箱本体の大きさごとに周縁平面部から立設した枠部の高さが異なるため、枠部の高さに合わせて係止部材を複数種類用意しなければならないという問題があった。
また、係止部材をネジ止めする場合には、係止部材の取付孔と箱本体に設けた孔の位置に合わせる必要があり、方向性を考慮して組み立てを行なわなくてはならないうえ、鎖錠部から係る力によって、位置がずれることがないように２箇所以上でネジ止めをする必要がある。
【特許文献１】特開２００３−３２８６０４公開特許公報（図１、図２符合１３）
【発明の開示】
【発明が解決しようとする課題】
【０００４】
本発明は前記のような従来の問題点を解決して、大きさの異なる箱体に対しても１種類の受部材で対応できると共に、リンク機構を有したクランプ式の鎖錠装置とハンドルの回動軸に鎖錠部を直接枢軸した鎖錠装置のいずれに対しても的確に対応可能な扉用鎖錠装置の受部材を提供するものである。
【課題を解決するための手段】
【０００５】
本発明の扉用鎖錠装置の受部材は、箱本体の開口部を施蓋する扉に取り付けたハンドルの操作により鎖錠・解錠を行う鎖錠部が係脱する受部材を棒状に形成してその基端を箱本体の開口部の周縁に立ち上げた枠部に取り付けたことを特徴とするものを請求項１に記載の発明とし、この発明において、受部材の基端面に固定部材嵌合用の穴部を設け、該穴部に箱本体の開口部の周縁に立ち上げた枠部に設けた取付孔から挿通した固定部材を嵌合して受部材をその基端をもって取り付けたものを請求項２に記載の発明としたものである。
【発明の効果】
【０００６】
前記のような請求項１に記載の発明は、受部材を棒状に形成してその基端をもって箱本体の開口部周縁の枠部に取り付けたものであるから、箱体の大きさが異なる場合でも、受部材の取付位置が異なるだけであるので、１種類の受部材で対応できるものである。また、受部材が棒状であるためハンドルの回動軸に鎖錠部を直接枢軸した鎖錠装置の鎖錠部の係合が的確に行なえる上、リンク機構を有したクランプ式の鎖錠装置も同様に係合できるものである。
【０００７】
また、請求項２に係る発明は受部材の基端面に固定部材嵌合用の穴部を設け、該穴部に箱本体の開口部周縁の枠部に設けた取付孔から挿通した固定部材を嵌合して受部材をその基端をもって取り付けたものであるから、取付方向及び取付位置を間違える虞のないものである。
【発明を実施するための最良の形態】
【０００８】
次に、本発明の好ましい実施の形態を図面に基づき説明する。
１は箱本体２の開口部２１を施蓋する扉３に取り付けたハンドル４の操作により鎖錠・解錠を行う鎖錠部４１が係脱する棒状の受部材であり、該受部材１はその基端を箱本体２の開口部２１の周縁に立ち上げた枠部２２に設けた取付孔２３を利用して取り付けられている。すなわち、受部材１は枠部２２に基端面１１を当接したうえ該枠部２２に設けた取付孔２３から挿通した固定部材５を基端面１１に設けた固定部材嵌合用の穴部１２に嵌合して、取付孔２３の周縁板部を受部材１の基端面１１と固定部材５の頭部との間に挟持させて取り付けている。
【０００９】
この受部材１は図１〜図５に示のものは前記鎖錠部４１が係脱する先端側を円形の棒部１ａに形成して基端側を該棒部１ａより大径の角形棒部１ｂに形成して、該角形棒部１ｂの基端面１１に設けた固定部材嵌合用の穴部１２に雌ねじ部１２ａを形成したもので、袋ナットの帽子部の先端に円形の棒部１ａを連設した構成としたのものでもある。そして、固定部材５としてボルト５を使用して、このボルト５のねじ軸部５ａを取付孔２３から挿通したうえ前記雌ねじ部１２ａに螺合して、取付孔２３の周縁板部を受部材１の基端面１１とボルト５の頭部５ｂとの間に挟持して受部材１をその基端を枠部２２に設けた取付孔２３を利用して取り付けるものである。この場合受部材１の基端側を先端側の円形の棒部１ａより大径の角形棒部１ｂすなわち六角形状に形成しているのでソケットレンチ、スパナ等の工具で保持できるのでボルト５と供回りすることなく容易に取付できるものである。なお、固定部材嵌合用の穴部１２に雌ねじ部を形成せず、固定部材５としてリベットを穴部１２に強制嵌合させたものとしてもよい。
【００１０】
なお、図５に示す６は受部材１の基端面１１に設けた穴部１２の先端周縁に凹設した低段部１２ｂに嵌合したゴム材よりなるパッキン用のＯリングであり、該Ｏリングは取付孔２３と受部材１との間に気密性を持たせるためのものである。
【００１１】
また、棒状の受部材１は前記のようなものに限定されることなく、例えば、図６に示すようにボルト５０の軸部５１の先端部を無ねじ部５１ａに形成して、該軸部５１を取付孔２３を挿通したうえ基端のねじ部５１ｂにナット６０を螺合したものであっても、図７に示すリベット７０の基部を取付孔２３より少し大径に形成して該取付孔２３に強制嵌合したものであってもよい。さらに、図８に示すように棒状部材８０を枠部２２に直接溶接したものでもよい。
【００１２】
このように構成されたものは、受部材１を棒状に形成してその基端をもって箱本体の開口部２１の周縁の枠部２２に取り付けたものであるから、箱体の大きさが異なる場合でも、受部材１の取付位置が異なるだけであるので、１種類の受部材で対応できるものである。さらに、図９から図１１に示すようなハンドル４と鎖錠部４１とがリンク４４で結ばれた４軸式の受部材としても対応可能なものである。
また、受部材１が棒状であるため、図１２に示すような、ハンドルの回動軸４２に鎖錠部４１を直接枢軸した鎖錠装置であって、鎖錠部４１が受部材１に対して斜め上方向から回転しながら、横Ｕ字状の切欠部４３内で受部材１とが係合するものであっても的確に係合することができるものである。
【００１３】
さらに、受部材１の基端面に固定部材嵌合用の穴部１２を設け、該穴部１２に箱本体２の開口部周縁の枠部２２に設けた取付孔２３から挿通した固定部材５を嵌合して受部材１をその基端をもって取り付けたものにあっては、取付方向及び取付位置を間違える虞のないものである。
【図面の簡単な説明】
【００１４】
【図１】本発明の実施形態の一例を示す要部断面図である。
【図２】本発明の実施形態の一例を扉を省略して示す要部斜視図である。
【図３】本発明の実施形態の一例を扉を省略して示す要部断面図である。
【図４】本発明の実施形態の一例を扉を省略して示す要部側面図である。
【図５】本発明の受部材の一例を示す一部切欠正面図である。
【図６】本発明の実施形態の他例を示す要部断面図である。
【図７】本発明の実施形態の他例を示す要部断面図である。
【図８】本発明の実施形態の他例を示す要部断面図である。
【図９】一使用例を示す概略側面図である。
【図１０】一使用例を示す概略側面図である。
【図１１】一使用例を示す概略断面図である。
【図１２】他の使用例を示す概略側面図である。
【符号の説明】
【００１５】
１  受部材
２  箱本体
21  開口部
22  枠部
23  取付孔
３  扉
４  ハンドル
41  鎖錠部
【図１】
2005273313.tif 000003
【図２】
2005273313.tif 000004
【図３】
2005273313.tif 000005
【図４】
2005273313.tif 000006
【図５】
2005273313.tif 000007
【図６】
2005273313.tif 000008
【図７】
2005273313.tif 000009
【図８】
2005273313.tif 000010
【図９】
2005273313.tif 000011
【図１０】
2005273313.tif 000012
【図１１】
2005273313.tif 000013
【図１２】
2005273313.tif 000014